(57)【特許請求の範囲】
【請求項１】
高温再生器、低温再生器、凝縮器、蒸発器及び吸収器等を接続して冷媒及び吸収溶液の１次側循環回路を形成し、冷暖房のための２次側冷媒の加熱又は冷却を行なう吸収式冷暖房装置の冷房運転制御方法において、前記高温再生器の加熱量が増加方向に変化した時に、前記蒸発器で凝縮した２次側液冷媒の供給を所定の時間だけ停止することを特徴とする吸収式冷暖房装置の冷房運転制御方法。
【請求項２】
高温再生器、低温再生器、凝縮器、蒸発器及び吸収器等を接続して冷媒及び吸収溶液の１次側循環回路を形成し、冷暖房のための２次側冷媒の加熱又は冷却を行なう吸収式冷暖房装置の冷房運転制御方法において、前記高温再生器の加熱量が増加方向に変化してから一定の時間が経過した後に、前記蒸発器で凝縮した２次側液冷媒の供給を所定の時間だけ停止することを特徴とする吸収式冷暖房装置の冷房運転制御方法。
【請求項３】
請求項１又は２において、前記高温再生器の加熱量が増加方向に変化し、且つ前記２次側液冷媒が一定の滞留量に達した時に、請求項１又は２に記載の冷房運転制御方法を行なうことを特徴とする吸収式冷暖房装置の冷房運転制御方法。
【発明の詳細な説明】
【０００１】
【発明の属する技術分野】
本発明は、吸収式冷暖房装置の冷房運転制御方法に係り、特に室内機への２次側冷媒の供給制御方法に関するものである。
【０００２】
【従来の技術】
図４は、吸収式冷暖房装置内に設けられた２次側循環回路を示す系統図である。冷房運転時、室内機側より冷媒ガス管１８を介して冷媒ガス２６が蒸発器の蒸発器コイル４に導入され、冷却、凝縮して液冷媒２７となり、吸込管路１１に導かれると共に、レシーバタンク１４に溜められる。レシーバタンク１４内にはフロートスイッチ１５が設けられ、液冷媒が溜るとフロートスイッチ１５が作動し、液レベル信号がコントローラ２２に入力され、搬送補助装置であるブースター１０に起動信号を送りブースター１０を起動（ＯＮ）させ、吐出管路１２より液冷媒を液冷媒管１９へ圧送する。
【０００３】
レシーバタンク１４の液量が減少し、フロートスイッチ１５が予め設定された液レベルを検知すると液レベル信号がコントローラ２２に入力され、コントローラ２２から停止信号がブースター１０に送られブースター１０は停止する。吸収式冷暖房装置の出力制御は、吐出管路１２に設けられた温度センサー２０で液冷媒の温度をとらえ、その温度信号がコントローラ２２に入力され、高温再生器４２の加熱源４３に燃焼操作信号を送り、燃焼停止（ＯＦＦ）−低燃料消費燃焼（ＬＯＷ燃焼）−高燃料消費燃焼（ＨＩ燃焼）の３位置制御を行なっている。尚、符号８は、吸収式冷暖房装置を示す。
【０００４】
図５は、従来技術に係る吸収式冷暖房装置の冷房運転制御方法の系統図である。上記蒸発器コイル４で冷却され凝縮した液冷媒２７の供給制御を図５の制御系統図で説明すると、先ず冷房運転スタート指令１００によりレシーバタンク１４に液冷媒が溜る。次に、フロートスィッチ液レベルの判定１０１で所定の滞留量Ｍ0（又は所定の高さＨ0）以上の場合はブースターＯＮ１０２でブースターの起動を行ない、フロートスィッチ液レベルの判定１０１の前に戻る。一方、フロートスィッチ液レベルの判定１０１で所定の滞留量Ｍ0（又は所定の高さＨ0）未満の場合はブースターＯＦＦ１０３でブースターの停止を行ない、同じくフロートスィッチ液レベルの判定１０１の前に戻る。
【０００５】
【発明が解決しようとする課題】
しかしながら、図４に示す加熱源４３の燃焼量が増加方向に変化した場合、例えば燃焼モードが燃焼停止（ＯＦＦ）→低燃料消費燃焼（ＬＯＷ燃焼）→高燃料消費燃焼（ＨＩ燃焼）のように変化した場合は、しばらくして冷凍能力が増加し、吸収式冷暖房装置の１次側循環回路内の圧力が低下し、蒸発コイル４内の圧力及び液温が低下する。このときの吸込管路５での冷媒は、蒸発コイル４内の冷媒に比べ液温が高いことから、相対的に過冷却度が低下して、沸騰し易い状態になる。フロートスイッチ１５が所定の滞留量Ｍ0を検知していても、ブースター１０が気泡を吸い込んで空運転となり２次側冷媒を供給出来なくなる。しばらくすると復帰するが、その間室内機側への冷媒の供給量が大きくダウンする。
【０００６】
図６は、図５の冷房運転制御方法による燃焼モードに対する液冷媒供給量の状態を示す線図である。図６に示すように、従来の制御では例えば燃焼モードが燃焼停止（ＯＦＦ）からＬＯＷ燃焼に変化した場合、しばらくは液冷媒を供給するが（区間ｔ101〜ｔ102）、しばらくの間（区間ｔ102〜ｔ103）は液冷媒の僅かな供給運転となり、それが自然復帰するのに３〜５分程度かかり、室内機の大巾な出力低下となり室内側に環境の不快感をもたらす。燃焼モードがＬＯＷ燃焼からＨＩ燃焼に変化した場合も同様である。尚、ｔ104はＬＯＷ燃焼→ＨＩ燃への変化時点、区間ｔ103〜ｔ105は液冷媒の供給運転区間、区間ｔ105〜ｔ106は液冷媒の僅かな供給運転区間を示す。
【０００７】
本発明の課題は、冷媒及び吸収溶液の１次側循環回路を形成し、冷暖房のための２次側冷媒の加熱又は冷却を行なう吸収式冷暖房装置の冷房運転制御方法において、高温再生器の加熱量が増加方向に変化した時に、室内機側への２次側液冷媒の供給量を平準化することが出来、室内の快適環境を維持することが出来ることである。
【０００８】
【課題を解決するための手段】
上記課題を解決するため本発明は、高温再生器、低温再生器、凝縮器、蒸発器及び吸収器等を接続して冷媒及び吸収溶液の１次側循環回路を形成し、冷暖房のための２次側冷媒の加熱又は冷却を行なう吸収式冷暖房装置の冷房運転制御方法において、前記高温再生器の加熱量が増加方向に変化した時に、前記蒸発器で凝縮した２次側液冷媒の供給を所定の時間だけ停止することである。
【０００９】
２次側液冷媒の供給を所定の時間だけ停止することにより、この所定の時間の間に蒸発器から液冷媒が供給され溜められ、再びこの２次側液冷媒を室内機側に供給する際に、室内機側への２次側液冷媒の供給量を平準化することが出来、高温再生器の加熱量が増加方向に変化した時に発生する液冷媒不足を解消し、室内の快適環境を維持することが出来る。
【００１０】
又、高温再生器、低温再生器、凝縮器、蒸発器及び吸収器等を接続して冷媒及び吸収溶液の１次側循環回路を形成し、冷暖房のための２次側冷媒の加熱又は冷却を行なう吸収式冷暖房装置の冷房運転制御方法において、前記高温再生器の加熱量が増加方向に変化してから一定の時間が経過した後に、前記蒸発器で凝縮した２次側液冷媒の供給を所定の時間だけ停止することである。
【００１１】
高温再生器の加熱量が増加方向に変化してから一定の時間が経過した後に、液不足が発生するので、この時から２次側液冷媒の供給を所定の時間だけ停止することにより、確実にこの所定の時間の間に蒸発器から供給される液冷媒を溜めることが出来、再びこの２次側液冷媒を室内機側に供給する際に、室内機側への２次側液冷媒の供給量を平準化することが出来、液冷媒不足を解消し、室内の快適環境を維持することが出来る。
【００１２】
更に、上記いずれかの吸収式冷暖房装置の冷房運転制御方法において、前記高温再生器の加熱量が増加方向に変化し、且つ前記２次側液冷媒が一定の滞留量に達した時に、上記いずれかの吸収式冷暖房装置の冷房運転制御方法を行なうことである。
【００１３】
高温再生器の加熱量が増加方向に変化し、且つ２次側液冷媒が一定の滞留量に達した時に、更に２次側液冷媒の供給を所定の時間だけ停止するか、一定の時間が経過した後に２次側液冷媒の供給を所定の時間だけ停止するかにより、上記いずれかの吸収式冷暖房装置の冷房運転制御方法の作用に加え、確実に液冷媒量が溜った状態で、再度２次側液冷媒の安定した供給量を室内機に送ることが出来る。
【００１４】
【発明の実施の形態】
図３は、吸収式冷暖房装置の全体回路の系統図である。この吸収式冷暖房装置１は、冷却水管７７ａ、７７ｂで接続され冷却水を冷却するクーリングタワー７８と、この吸収式冷暖房装置１に冷媒ガス管１８及び液冷媒管１９で接続され空調対象空間に配置されて該空間の空気との熱交換を行う図示されていない空調用室内機とが付設されている。又、冷却水管７７ｂには、冷却水をクーリングタワー７８から吸収式冷暖房装置１に循環させる冷却水循環ポンプ７０が介装され、更に、２次側液冷媒管１９に介装され、冷媒ガス管１８及び液冷媒管１９内の２次側冷媒を吸収式冷暖房装置１と前記空調用室内機の間で循環させる図示していない２次側冷媒循環ポンプが付設されている。
【００１５】
前記空調用室内機に対して、クーリングタワー７８と併せて通常、室外機と呼ばれる吸収式冷暖房装置１は、この場合燃料をバーナで燃焼させ、その燃焼熱で希溶液を加熱する加熱源４３を有する高温再生器４２と、この高温再生器４２で加熱された希溶液から冷媒蒸気と中間濃溶液を分離する分離器４５と、分離された冷媒蒸気を熱源として前記中間濃溶液を加熱してさらに冷媒蒸気を発生させる低温再生器４６と、この低温再生器４６を通過した冷媒蒸気及び低温再生器４６で発生した冷媒蒸気を冷却して凝縮し液化させ液冷媒を生成する凝縮器４８と、この凝縮器４８で生成された液冷媒を内装した冷媒分配器５１から同じく内装した蒸発コイル４上に滴下、蒸発させ、この蒸発コイル４中の２次側冷媒を冷却する蒸発器５０とを有する。
【００１６】
更に、吸収式冷暖房装置１は、上記蒸発器５０で蒸発した冷媒蒸気を濃溶液に吸収させ希溶液を生成する吸収器４９と、この希溶液を加圧し低温溶液熱交換器５４、高温溶液熱交換器５３の被加熱流体側を経て高温再生器４２に送りこむ溶液循環ポンプ５７と、分離器４５の底部と蒸発器５０の底部を冷暖切換弁５８を介して連通する管路５９と、低温溶液熱交換器５４の加熱流体出側を吸収器４９の上部に接続する濃溶液管５５と、この濃溶液管５５と吸収器４９の下部を溶液バイパス弁６７を介して接続する管路６８と、濃溶液管５５と蒸発器５０に内装された冷媒分配器５１を凍結防止弁６４を介して連通する管路６５と、凝縮器４８から冷媒分配器５１に液冷媒を導く水冷媒管６３と、この水冷媒管６３に並列に接続され水冷媒比例弁６１を介装する管路６２とを含んで構成されている。
【００１７】
そして、上記分離器４５で分離された中間濃溶液が高温溶液熱交換器５３の加熱流体側を経て低温再生器４６に導かれ、低温再生器４６で冷媒を蒸発させて濃溶液となったのち、低温溶液熱交換器５４の加熱流体側を経て濃溶液管５５に導かれるように管路が構成されている。吸収器４９及び凝縮器４８にはそれぞれ冷却水コイルが内装され、吸収器４９の冷却水コイルの出口は凝縮器４８の冷却水コイルの入口に接続されていて、吸収器４９の冷却水コイルの入口は冷却水管７７ｂに、凝縮器４８の冷却水コイルの出口は冷却水管７７ａに、それぞれ接続されている。２次側冷媒の液冷媒管１９は蒸発コイル４の液側に、２次側冷媒の冷媒ガス管１８は蒸発コイル４のガス側にそれぞれ接続され、液冷媒管１９に接続された搬送補助装置であるブースター１０の吐出管には２次側液冷媒の温度を検知する温度センサ２０が装着されている。
【００１８】
上記構成の装置において、冷暖切換弁５８は、冷房と暖房の切り替えを行なうもので、冷房時は閉、暖房時は開とされる。水冷媒比例弁６１は、蒸発器５０の温度（蒸発器温度センサの出力）を入力として開度制御され、溶液濃度の調整を行なう弁である。凍結防止弁６４は、蒸発温度が低下して１℃になれば開いて濃溶液を冷媒分配器５１に流入させ、冷媒（吸収式冷暖房装置の冷媒には通常水が使用される。以下、水冷媒ともいう）の凍結を防ぐ弁である。溶液バイパス弁６７は、冷房立上り時及び低負荷運転時に、蒸発器温度が低下したとき、凍結防止弁６４が作動する前に濃溶液を吸収器４９の下部にバイパスして吸収器４９の吸収能力を低下させ、蒸発器５０のそれ以上の温度低下を防ぐためのオン−オフ制御弁である。
【００１９】
図３において、２次側循環回路２については先の図４において説明したが、２次側循環回路２は、蒸発器５０で凝縮した液冷媒２７を液冷媒管１９に戻し室内機に再び供給する液冷媒搬送装置或いは液冷媒戻し手段であるブースター１０を有している。
【００２０】
上記構成を有する吸収式冷暖房装置１において、本実施の形態の冷房運転制御方法は、高温再生器４２の加熱量、即ち加熱源４３の燃焼量乃至燃焼熱が増加方向に変化してから一定の時間Ｔ1が経過した後に、蒸発器５０で凝縮した２次側液冷媒２７の供給を所定の時間Ｔ0だけ停止する。具体的にはブースター１０を所定の時間Ｔ0だけ停止することである。
【００２１】
図１は、上記冷房運転制御方法を線図で示した系統図である。本実施の形態の冷房運転制御方法は、冷房運転スタート指令３０によりフロートスィッチ液レベルの判定３１で所定の滞留量Ｍ0以上の場合は加熱源４３で燃焼増加したかの判定３２を行なう。フロートスィッチ液レベルの判定３１で所定の滞留量Ｍ0未満の場合はブースターＯＦＦ３７でブースターの停止を行ない、フロートスィッチ液レベルの判定３１の前に戻る。
【００２２】
次に、燃焼増加したかの判定３２で燃焼増加した場合は、フロートスイッチ液レベルの判定３４を行ない、燃焼増加したかの判定３２で燃焼増加しない場合はブースターＯＮ３３でブースターの起動を行ない、フロートスィッチ液レベルの判定３１の前に戻る。
【００２３】
フロートスイッチ液レベルの判定３４で一定の滞留量Ｍ1以上の場合は、燃焼増加して一定の時間経過したかの判定３５に移る。フロートスイッチ液レベルの判定３４で一定の滞留量Ｍ1未満の場合はブースターＯＦＦ３７でブースターの停止３７を行ない、フロートスィッチ液レベルの判定３１の前に戻る。
【００２４】
燃焼増加して一定の時間経過したかの判定３５で一定の時間Ｔ1以上の場合はブースターを所定の時間（Ｔ0）ＯＦＦ３６の停止を行ない、フロートスィッチ液レベルの判定３１の前に戻る。燃焼増加して一定の時間経過したかの判定３５で一定の時間Ｔ1未満の場合は、フロートスイッチ液レベルの判定３４の前に戻る。
【００２５】
上記本実施の形態の冷房運転制御方法は、高温再生器加熱源４３の燃焼量乃至燃焼熱が増加方向に変化し、且つ２次側液冷媒が一定の滞留量Ｍ1に達した時に、２次側液冷媒の供給を所定の時間Ｔ0だけ停止するか、一定の時間Ｔ1が経過した後に２次側液冷媒の供給を所定の時間Ｔ0だけ停止することにより、この所定の時間Ｔ0の間に蒸発器５０から液冷媒が供給され、確実に液冷媒量が溜った状態で、再びこの２次側液冷媒を室内機側に安定供給し、確実に液冷媒不足を解消すると共に、室内機側への２次側液冷媒の供給量を平準化することが出来、室内の快適環境を維持することが出来る。
【００２６】
図２は、図１の冷房運転制御方法による燃焼モードに対する液冷媒供給量の状態を示す線図である。本実施の形態の冷房運転制御方法は、燃焼モードが時間ｔ1で燃焼停止からＬＯＷ燃焼に変化した場合、一定の時間Ｔ1、例えば２分間（区間ｔ1〜ｔ2）してからブースター１０を所定の時間Ｔ0（区間ｔ2〜ｔ3）、例えば１分間だけ強制的に停止する。これにより一旦空運転にはいったブースター１０は、１分間の停止（Ｔ0）中に液冷媒が十分充填され、復帰運転後、即安定した量の液冷媒を供給することが出来る（区間ｔ3〜ｔ5）。図２で燃焼モードがＬＯＷ燃焼からＨＩ燃焼に変化した場合も上記と同様な作用を有する。尚、符号ｔ4はＬＯＷ燃焼→ＨＩ燃焼への変化時点を、区間ｔ4〜ｔ5は一定の時間Ｔ1を、区間ｔ5〜ｔ6は所定の時間Ｔ0を、それぞれ示す。
【００２７】
尚、上記実施の形態の冷房運転制御方法は、水冷の吸収式冷暖房装置に適用した場合について説明したが、本発明はこれに限定されず、空冷の吸収式冷暖房装置に対しても適用出来ることは勿論である。更に、高温再生器の加熱源は、バーナによる燃焼加熱の他に、排蒸気又は排温水による加熱、電気ヒータによる加熱等が利用出来る。更に、２次側冷媒は、相変化するフロン（ＨＦＣ−１３４ａ）を使用しているが、この他にアルコール、水と潜熱剤の混合物等が使用出来る。
【００２８】
【発明の効果】
本発明の吸収式冷暖房装置の冷房運転制御方法によれば、高温再生器の加熱量が増加方向に変化した時に、室内機側への２次側液冷媒の供給量を平準化することが出来、室内の快適環境を維持することが出来る。
【図面の簡単な説明】
【図１】本発明に係る吸収式冷暖房装置の冷房運転制御方法の一実施の形態を線図で示した系統図である。
【図２】図１の冷房運転制御方法による燃焼モードに対する液冷媒供給量の状態を示す線図である。
【図３】吸収式冷暖房装置の全体回路の系統図である。
【図４】図３の吸収式冷暖房装置内に設けられた２次側循環回路を示す系統図である。
【図５】従来技術に係る吸収式冷暖房装置の冷房運転制御方法の系統図である。
【図６】図５の冷房運転制御方法による燃焼モードに対する液冷媒供給量の状態を示す線図である。
【符号の説明】
１  吸収式冷暖房装置
２５  ２次側冷媒
２７  ２次側液冷媒
４０  １次側循環回路
４２  高温再生器
５０  蒸発器
Ｔ0  所定の時間
Ｔ1  一定の時間
Ｍ1  一定の滞留量
【図１】
0003735744.tif 000002
【図２】
0003735744.tif 000003
【図３】
0003735744.tif 000004
【図４】
0003735744.tif 000005
【図５】
0003735744.tif 000006
【図６】
0003735744.tif 000007